(57)【特許請求の範囲】
【請求項１】
円筒回転傾斜式ドラムの内周面にドラムの軸線方向に沿ってドラムの入口側から出口側にわたって適宜の間隔をおいて複数段のかき揚げ板を、ドラムの半径方向に沿う縦板部とドラムの接線方向に平行な横板部との断面Ｌ字型状として周設したアスファルトプラントのドライヤであって、
上記ドラムの入口側から２段目および３段目のかき揚げ板の横板部の縦板部との接合近傍のかき揚げ板の長手方向にそって形成したスリットによりドラムの長手方向の略中央部分に骨材を落下可能としたことを特徴とするアスファルトプラントのドライヤ。
【請求項２】
ドラムの入口側から２段目のかき揚げ板の横板部のドラム中央側の端部にスリットを形成し、ドラムの入口側から３段目のかき揚げ板の横板部の左右両端部や中央部にスリットを形成してドラムの長手方向の略中央部分に骨材を落下可能としたことを特徴とする請求項１に記載のアスファルトプラントのドライヤ。
【請求項３】
スリットの幅寸法は骨材最大粒径より大に設定されていることを特徴とする請求項１または２に記載のアスファルトプラントのドライヤ。
【発明の詳細な説明】
【０００１】
【発明の属する技術分野】
本発明は、アスファルトプラントのドライヤ（骨材乾燥装置）に関する。
【０００２】
【従来の技術】
従来、アスファルトプラントのドライヤとしては、主に円筒傾斜回転ドラム式のものが使用されている。
従来一般に知られている円筒傾斜回転ドラム式のドライヤの基本構造を図４に示す。ここで示すドライヤは、若干傾斜するように配設されたドラム２０の内周面に、長さ方向がドラム２０の軸線方向に沿う骨材かき揚げ板（フライト）２１，…が、周方向に間隔をあけて複数設けられたものである。
このドライヤでは、乾燥加熱される骨材Ｃは、ドラム２０の回転で、かき揚げ板２１，…によってかき揚げられ、滝状の膜Ａになって落ちながら、伝熱面積を増してドラムの出口側から送られる熱風と熱交換され、ドラム２０の入口側から出口側へ移動する。
【０００３】
【発明が解決しようとする課題】
前記した従来の円筒傾斜回転ドラム式のドライヤにあっては、次の欠点があった。
すなわち、ドラム２０内の骨材１０は、かき揚げ板２１，…の先端部から自重により落下しながら滝状の膜Ａを形成するものであるが、この滝状の膜Ａ，…一つ一つが比較的大きくかつ本数も少ないことから、径及び長さが限られたドラム１内では、骨材の熱交換面積を広くとることができず、結局、熱効率が悪いという問題があった。
【０００４】
このような問題に対処する方法として、かき揚げ板２１の本数を増やすことも考えられるが、この場合、ドラム２０の骨材入口側のかき揚げ板取付部分に骨材中の細粒分が付着してしまうという別の問題が発生する。
【０００５】
本発明は、上記事情に鑑みてなされたもので、骨材の熱交換面積を広くとって乾燥加熱効率を向上させることができるアスファルトプラントのドライヤを提供することを目的とする。
【０００６】
【議題を解決するための手段】
本発明は、上記のような点に鑑みたもので、請求項１記載のアスファルトプラントのドライヤは、円筒回転傾斜式ドラムの内周面にドラムの軸線方向に沿ってドラムの入口側から出口側にわたって適宜の間隔をおいて複数段のかき揚げ板を、ドラムの半径方向に沿う縦板部とドラムの接線方向に平行な横板部との断面Ｌ字型状として周設したアスファルトプラントのドライヤであって、上記ドラムの入口側から２段目および３段目のかき揚げ板の横板部の縦板部との接合近傍のかき揚げ板の長手方向にそって形成したスリットによりドラムの長手方向の略中央部分に骨材を落下可能としたことを特徴としている。また、請求項２記載のアスファルトプラントのドライヤは、ドラムの入口側から２段目のかき揚げ板の横板部のドラム中央側の端部にスリットを形成し、ドラムの入口側から３段目のかき揚げ板の横板部の左右両端部や中央部にスリットを形成してドラムの長手方向の略中央部分に骨材を落下可能としたことを特徴としている。さらに、請求項３記載のアスファルトプラントのドライヤは、スリットの幅寸法は骨材最大粒径より大に設定されていることを特徴としている。
【０００７】
【発明の実施の形態】
以下、本発明の実施形態を図面に基づいて説明する。
図１は実施形態のドライヤ１の側断面図である。このドライヤ１は、円筒回転傾斜式のドラム２を有する。ドラム２は、入口６側から出口７側に僅かに下り傾斜するよう配設され、回転駆動機構４によって回転駆動される。出口７側には、ドラム２内に熱風を導入するバーナ５が配設されている。また、入口６側には、新たな骨材１０をドラム２内に供給する骨材供給コンベヤ９と、循環骨材を投入するシュート８が設けられている。
【０００８】
ドラム２の内周には、入口６側から出口７側に向かって間隔をおいて複数段のかき揚げ板３（３Ａ，…、３Ｂ，…、３Ｃ，…、３Ｄ，…、３Ｅ，…）が設けられている。かき揚げ板３（３Ａ，…、３Ｂ，…、３Ｃ，…、３Ｄ，…、３Ｅ，…）は、ドラム２の周方向にも間隔をあけて複数配列されており、しかも、その長さ方向がドラム２の軸線方向に沿うように配列されている。
【０００９】
また、図３に示すように、かき揚げ板３（３Ａ，…、３Ｂ，…、３Ｃ，…、３Ｄ，…、３Ｅ，…）は、ドラム２の半径方向に沿う縦板部１１とドラム２の接線方向に平行な横板部１２を有する断面Ｌ字状に形成されている。入口６側から２段目及び３段目のかき揚げ板３Ｂ，…、３Ｃ，…の横板部１２には、図２に示すように、縦板部１１との接合部近傍にスリット１３がかき揚げ板３の長手方向に沿うように形成されている。
【００１０】
ここで、入口６側から２段目の周方向一つ置きのかき揚げ板３Ｂ，…には、スリット１３が横板部１２のドラム２中央側の端部に形成されている。また、入口６側から３段目の周方向一つ置きのかき揚げ板３Ｃ，…には、スリット１３が横板部１２の左右両端部に形成され、また、それら左右両端部にスリット１３が形成されるかき揚げ板３Ｃ，…の間に配されるかき揚げ板３Ｃ，…には、スリット１３が横板部１２の中央部に形成されている。
さらに、それらスリット１３の幅寸法は骨材最大粒径より大きな値に設定されている。
【００１１】
この実施形態のドライヤ１は、上述のようにかき揚げ板３Ｂ，…、３Ｃ，…の横板部１２にスリット１３を設けたことにより、図３に示すように、ドラム２が回転するときに、かき揚げ板３，…によってかき揚げられる骨材１０は、スリット１３と横板部１２の先端の両部分からそれぞれ滝状の膜Ｂを形成しながら落下する。すなわち、あたかもかき揚げ板３，…の数が倍に増したかのように骨材１０が落下することとなるので骨材の熱交換面積が増加し、しかも、かき揚げ板３による上昇中の前半部分である程度の量の骨材１０が落下することから骨材１０のドラム滞留時間も延びることとなる。これらの結果、ドライヤの乾燥加熱作用が高まり、むら無く、均一に骨材１０を乾燥加熱することができる。
【００１２】
また、この実施形態のドライヤでは、かき揚げ板３の横板部１２にスリット１３を形成するに当たり、入口６側から２段目及び３段目に位置するかき揚げ板３に形成し、乾燥効率の優れたドラムの略中央部分で骨材の落下頻度を高くしているので、トータル的にみてより一層良好な乾燥加熱効率が得られる。
なお、本発明は、新材用ドライヤばかりでなく、再生用ドライヤにも適用できる。
【００１３】
【発明の効果】
以上説明したように、請求項１記載の発明によれば、ドラムの入口側から２段目および３段目のかき揚げ板の横板部の縦板部との接合近傍のかき揚げ板の長手方向にそって形成したスリットによりドラムの長手方向の略中央部分に骨材を落下可能としたことによって、乾燥効率の優れたドラムの略中央部分で骨材の落下頻度が高くなり、トータル的にみてより良好な乾燥加熱効率が得られ、かき揚げ板を増すことなく、ドラム内での骨材の落下頻度を高くできるので、骨材の熱交換面積を増加させることができ、しかも、骨材のドラム内滞留時間を延ばすことも可能となるので、ドライヤの乾燥加熱作用が高まり、むら無く、均一に骨材を乾燥加熱させることができる。
【００１４】
また、請求項２の発明のように、ドラムの入口側から２段目のかき揚げ板の横板部のドラム中央側の端部にスリットを形成し、ドラムの入口側から３段目のかき揚げ板の横板部の左右両端部や中央部にスリットを形成してドラムの長手方向の略中央部分に骨材を落下可能としたことによって、上記したようにドラムの略中央部分で骨材の落下頻度が高くなり、トータル的にみてより良好な乾燥加熱効率が得られる。
【００１５】
さらに、請求項３の発明のように、スリットの幅寸法を骨材最大粒径より大に設定すれば、小粒径から大粒径の骨材全域に渡って、乾燥加熱作用を高めることができる。
【図面の簡単な説明】
【図１】本発明の実施形態のドライヤの概略構成を示す断面図である。
【図２】図１のドライヤの内部を説明する展開図である。
【図３】図１のドライヤの作用を説明する断面図である。
【図４】従来のドライヤの問題を説明する断面図である。
【符号の説明】
１  ドライヤ                      ２  ドラム
３（３Ａ，３Ｂ，３Ｃ，３Ｄ，３Ｅ）  かき揚げ板
６  入口                          ７  出口
１１  縦板部                      １２  横板部
１３  スリット
【図１】
0003587948.tif 000002
【図２】
0003587948.tif 000003
【図３】
0003587948.tif 000004
【図４】
0003587948.tif 000005